(57)【要約】【課題】画布の背後に空間を形成し、画布上の絵柄を目視させるとともに、画布の繊維の隙間から背後の空間を通して着色された背景を目視させるようにした美術工芸品を提供すること。【解決手段】中央に長方形形状の開口部が形成された画布支持プレート７の前面に絵柄が描かれた画布９を貼着する。画布支持プレート７の背後には開口部を封塞する押さえ蓋３が配置される。これらを額縁１内に収容する。画布９の背後の画布支持プレート７内に形成される空間に面して露出される画布支持プレート７と押さえ蓋３の前面３ａが露出される。これらは金色に着色されている。これによって、画布９上の絵柄は前面側から目視可能であると同時に、画布９の繊維の隙間を透かして背後の着色面が目視される。【選択図】  図２
0003165079.tif 000002
【実用新案登録請求の範囲】
【請求項１】
リング状に形成した包囲壁部を有するフレーム体の前記包囲壁部の前面に対して絵柄が描かれた画布が貼着されるとともに、前記フレーム体の背後には前記包囲壁部に包囲された開口部を背後から封塞する封塞部材が配設され、前記画布の背後に形成される空間に面して露出される前記包囲壁部及び封塞部材の内周面には着色が施され、前記画布上の絵柄は前面側から目視可能であると同時に、前記画布の繊維の隙間を透かして前記内周面を目視可能としたことを特徴とする美術工芸品。
【請求項２】
前記封塞部材はパネル体であることを特徴とする請求項１に記載の美術工芸品。
【請求項３】
リング状に形成した包囲壁部と同包囲壁部の背後に配置される背面壁を有するフレーム体の前記包囲壁部の前面に対して絵柄が描かれた画布が貼着されるとともに、前記画布の背後に形成される空間に面して露出される前記包囲壁部及び背面壁の内周面には着色が施され、前記画布上の絵柄は前面側から目視可能であると同時に、前記画布の繊維の隙間を透かして前記内周面を目視可能としたことを特徴とする美術工芸品。
【請求項４】
前記画布が貼着された前記フレーム体は額縁内に収容されていることを特徴とする請求項１〜３のいずれかに記載の美術工芸品。
【請求項５】
前記フレーム体自体が額縁であることを特徴とする請求項１〜３のいずれかに記載の美術工芸品。
【請求項６】
前記額縁の前面には透明な保護板が配設されていることを特徴とする請求項４又は５に記載の美術工芸品。
【考案の詳細な説明】
【技術分野】
【０００１】
本考案は、様々なモチーフを絵画として二次元的に表現して観賞させる美術工芸品に関するものである。
【背景技術】
【０００２】
従来から様々なモチーフを絵画として二次元的な表現媒体に表現した美術工芸品がある。例えば、絵画では特許文献１のようなフレームに貼った表現媒体としてのキャンバスに絵を描いて、額縁に取り付けて壁面に掛けて観賞させるようにしている。
【先行技術文献】
【特許文献】
【０００３】
【特許文献１】特開２００７−３１３７４６号公報
【考案の開示】
【考案が解決しようとする課題】
【０００４】
しかし、従来このような特許文献１のようなキャンバスを利用した絵画の美術工芸品はそのキャンバスの表面に絵の具等の画材で表現された絵そのものを観賞するものであった。特許文献１に限らず基本的に絵画の美術工芸品ではそれが原則である。しかし、現在における絵画の表現手法は多様化しており、二次元的に表現するという枠を超えた芸術性の高い新たな表現手法が求められていた。
本考案は、このような従来の技術に存在する問題点に着目してなされたものである。その目的とするところは、画布の背後に空間を形成し、画布上の絵柄を目視させるとともに、画布の繊維の隙間から背後の空間を通して着色された背景を目視させるようにした美術工芸品を提供することにある。
【課題を解決するための手段】
【０００５】
上記の目的を達成するための第１の手段として、リング状に形成した包囲壁部を有するフレーム体の前記包囲壁部の前面に対して絵柄が描かれた画布が貼着されるとともに、前記フレーム体の背後には前記包囲壁部に包囲された開口部を背後から封塞する封塞部材が配設され、前記画布の背後に形成される空間に面して露出される前記包囲壁部及び封塞部材の内周面には着色が施され、前記画布上の絵柄は前面側から目視可能であると同時に、前記画布の繊維の隙間を透かして前記内周面を目視可能としたことをその要旨とする。
【０００６】
このような構成では、フレーム体の包囲壁部の前面に対して絵柄が描かれた画布が貼着されており、更にフレーム体の背後に封塞部材が配設されることから、画布の背後には包囲壁部と封塞部材に包囲された空間が形成されることとなる。そして、空間に面して露出される前記包囲壁部及び封塞部材の内周面には所定の着色がされている。画布はごく薄手に形成されているため画布上の絵柄を前面側から目視すると同時に、画布の繊維の隙間を透かして空間の背後の内周面を目視することとなる。
これによって、看者は画布上の絵柄を目視する際に内周面の着色を一種の背景として空間を介在させて目視することとなる。
ここに、「画布」は材質や、製造方法は特に制限はなく、繊維の隙間から外光が裏側に抜けるとともに、少なくともその表面に描かれた絵柄単独で認識できる程度の密度を持った布であればよい。織り物でもあるいは織らずに布状に構成された不織布のような形態でもよいため、「画布」とはいっても紙製や合成繊維製をも含む概念である。
また、「着色」とは顔料、ペンキ等を塗ること以外に金属箔を貼って発色させる場合も含む。また、必ずしも単色をいわず複数の着色を施したり内周面に模様や新たな絵柄を配することも可能である。
また、「美術工芸品」とは一品制作物のみならず、量産するものも含む概念である。従って、「絵柄を描く」という場合に画布上に手書きで描く場合もあれば、既知の印刷手段によって描く場合も含まれるものである。「絵柄」には人物、静物、景色等を実際に絵筆で描いた絵画のみならずカメラで撮影された撮像も含まれるものである。
また、封塞部材はフレーム体の背後を封塞する蓋部材となるが、その形状は問わない。一般的には剛性のあるパネル体で構成することが好ましい。
【０００７】
上記の目的を達成するための第２の手段として、リング状に形成した包囲壁部と同包囲壁部の背後に配置される背面壁を有するフレーム体の前記包囲壁部の前面に対して絵柄が描かれた画布が貼着されるとともに、前記画布の背後に形成される空間に面して露出される前記包囲壁部及び背面壁の内周面には着色が施され、前記画布上の絵柄は前面側から目視可能であると同時に、前記画布の繊維の隙間を透かして前記内周面を目視可能としたことをその要旨とする。
【０００８】
このような構成では、フレーム体の包囲壁部の前面に対して絵柄が描かれた画布が貼着されており、画布の背後には包囲壁部と背面壁に包囲された空間が形成されることとなる。そして、空間に面して露出される前記包囲壁部及び背面壁の内周面には所定の着色がされている。画布はごく薄手に形成されているため画布上の絵柄を前面側から目視すると同時に、画布の繊維の隙間を透かして空間の背後の内周面を目視することとなる。
これによって、看者は画布上の絵柄を目視する際に内周面の着色を一種の背景として空間を介在させて目視することとなる。
第２の手段でも「画布」「美術工芸品」の定義は上記と同様である。第２の手段では第１の手段と異なるフレーム体であり、包囲壁部と背面壁が一体化されているものであるが、背面壁は包囲壁部とともに一体成形品として構成していても、包囲壁部とは別体の背面壁を接着剤や釘等の固定手段で後から包囲壁部に固定させるようなものでもよい。
【０００９】
上記各手段においては、画布が貼着されたフレーム体は額縁内に収容されていることが好ましい。美術工芸品として通常は額縁内に収容されて展示されるものであるためである。但し、フレーム体自体を額縁とすることも、フレーム体のデザインによって、あるいはフレーム体がきれいに表装がされているならば可能であり、その場合には別途額縁は必要としない。
また、額縁の前面には透明な保護板、例えば、アクリル板やガラス板が配設されていることが画布や表装の保護の点から好ましい。
【考案の効果】
【００１０】
上記各請求項の考案では、画布の背後に空間を設け着色された面を露出させるようにし、看者に画布上の絵柄を目視させるとともに、画布の繊維の隙間から背後の空間を通して着色された背景を目視させるようにしたため、二次元的な絵柄に背景の着色を加えた複雑な表現手法が可能となり、なおかつ背景は空間を間に介在させているため、従来にない立体感のある観賞が可能となる。
【図面の簡単な説明】
【００１１】
【図１】本考案の実施の形態の美術工芸品を額装された絵画として具体化した斜視図。
【図２】図１の額装された絵画の分解斜視図。
【図３】同じ実施の形態の額装された絵画の（ａ）は画布支持プレートへの画布の張設工程を説明する模式的な説明図、（ｂ）は額縁への画布支持プレート及び押さえ蓋の収納順序を説明する模式的な説明図。
【図４】同じ実施の形態の額装された絵画の部分断面図。
【図５】画布支持プレートの斜視図。
【図６】画布に反射する外光と透過して内部で反射して画布から漏れてくる外光の動きを説明する説明図。
【図７】他の実施の形態の画布支持プレートへの画布の張設工程を説明する模式的な説明図。
【考案を実施するための最良の形態】
【００１２】
以下、本考案の美術工芸品を額装された絵画として具体化した実施の形態を図面に基づいて説明する。
図１及び図２に示すように、本実施の形態の絵画は額縁１と額縁１内に収容される画布支持プレート２と、押さえ蓋３から基本的に構成されている。
額縁１は外周四方が角丸形状に構成された中央に略長方形形状の開口部１ａが形成された木製のフレームである。額縁１の開口部１ａに面した内周前方位置には前後一対のフランジ４が形成されており、保護板としてのアクリル製の透明窓プレート５が両フランジ４に挟持されて開口部１ａ全面を覆っている。図３（ｂ）及び図４に示すように、額縁１の後端面１ｂには押さえ蓋３を押さえるための回転クリップ６が散点的に配設されている。
【００１３】
図５に示すように、フレーム体としての画布支持プレート７は包囲壁部としての４本の合板製のフレーム片７Ａの端部をリング状に突き合わせることによって中央に長方形形状の開口部７ａが形成された木製のフレームである。本実施の形態では画布支持プレート７の開口部７ａの外郭を画定する方形の内周面８が金色に着色されている。画布支持プレート７の正面形状は額縁１の内周形状と一致（実際にはわずかに額縁１の内周形状の方が大きい）するため、額縁１に収容された画布支持プレート７は上下左右にずれずにきれいに納まる。
【００１４】
画布支持プレート７の前面７ｂには画布９が貼着されている。画布９は画布支持プレート７を正面視（図５の状態）した大きさよりも若干小さめの長方形サイズとされている。本実施の形態では画布９は軽く撚糸した絹糸を粗めに縦横に織った一重の布であって、表面に絵柄が描かれている。粗めの織りであるため、表面に描かれた絵柄を目視できると同時に画布９の糸の隙間を通して背後を目視することが可能である。図３（ａ）及び（ｂ）に示すように、画布９は画布支持プレート７の前面７ｂに対して表装１０によってその周縁が包囲されるように貼着されている。これによって画布９は開口部７ａの前面を覆うように張設されることとなる。
【００１５】
押さえ蓋３は画布支持プレート７と同じ長方形形状の正面形状に構成された合板製の板である。押さえ蓋３の前面３ａの全域は金色に着色されている。
図４に示すように、額縁１内に収容された画布支持プレート７はその前面７ｂの周縁が後部フランジ４に当接して配置されるため、画布９は透明窓プレート５に接することなく若干の隙間を有して配置されることとなる。このように画布支持プレート７が収納された状態で押さえ蓋３を画布支持プレート７の背後から額縁１内に収容すると、押さえ蓋３の背面の面（つら）は額縁１の後端面１ｂと一致する。そして、図４のように、額縁１側の回転クリップ６を押さえ蓋３と干渉する位置に回転させることで額縁１への画布支持プレート７のセットが完了する。次いで図示しない吊り下げ紐等によって任意の場所に吊り下げて観賞することが可能である。
このとき、画布支持プレート７の開口部７ａの前面を覆う画布９の背後には画布支持プレート７の厚みに対応した空間Ｓが形成されることとなる。そして、空間Ｓを介在して画布９の背後に画布支持プレート７の開口部７ａの内周面８と押さえ蓋３の前面３ａが露出されることとなる。
【００１６】
このような構成では、前面から看者が目視した場合に外光によって図６の矢印Ａのように主として画布９上の絵柄を目視することとなる。ところが、画布９は画布９の糸の隙間を通して背後を目視することが可能である。つまり、外光の一部がこの隙間から透過して開口部７ａの内周面８（矢印Ｂ）や押さえ蓋３の前面３ａ（矢印Ｃ）に反射し、それらの反射光が絵柄に重なって目視されることとなるわけである。
従って、二次元的な絵柄を背景（内周面８と前面３ａ）の金色の着色（反射光）を加えた複雑な色合いの絵として観賞させることができ、なおかつ背景は空間を間に介在させているため、看者の見る位置によって背景の金色の反射光の向きや強さが一様ではなくなるため、立体感のある観賞が可能となる。
【００１７】
尚、この考案は、次のように変更して具体化することも可能である。
・上記額縁１の形状、画布支持プレート７の形状は一例であって、他の形状や素材で構成することは自由である。画布支持プレート７に形成される空間Ｓの形状や大きさも適宜変更可能である。
・背景（内周面８と前面３ａ）の色は適宜変更可能である。上記のように例えば色以外に模様を付すようにすることも可能である。
・上記実施の形態では画布支持プレート７は開口部７ａを有し、背後から押さえ蓋３で封塞することで画布９の背後に空間Ｓを形成させるようにしていたが、図７に示すように画布９が張設される画布支持プレート２１において当初から背面壁２２を包囲壁２３と一体的に構成することも可能である。つまり、画布支持プレート２１は一種の皿のような形状に構成し、前面２２ａに画布９を（表装１０はあってもなくてもよい）張設することで空間Ｓを形成させるようにすることも可能である。
・上記実施の形態では画布支持プレート７及び押さえ蓋３を額縁１に収容するようにしたが、額縁を別途用意せずに展示することも可能である。例えば、図７のような画布支持プレート２１であれば押さえ蓋３は不要であるため、そのまま、きれいに表装すれば額縁は不要となる。
・その他、本考案の趣旨を逸脱しない態様で実施することは自由である。
【符号の説明】
【００１８】
３…封塞部材、パネル体としての押さえ蓋、３ａ…内周面としての前面、７…フレーム体としての画布支持プレート、７Ａ…包囲壁部としてのフレーム片、９…画布、８…内周面、Ｓ…空間。
【図１】
0003165079.tif 000003
【図２】
0003165079.tif 000004
【図３】
0003165079.tif 000005
【図４】
0003165079.tif 000006
【図５】
0003165079.tif 000007
【図６】
0003165079.tif 000008
【図７】
0003165079.tif 000009